(57)【要約】【課題】違反切符の交付と管理のための自動化システム。【解決手段】本発明は、警察官（１０）に支給される携帯入力装置（１２）、車両に関するデータを記録するため入力装置の前に提示するのに適した偽造不能な非接触型スマートカード型の違反切符（１４）、切符をクリップした後、切符が雨で損なわれないで止まり容易に持ち去ることが出来ないよう、切符をフロントガラスのワイパーアームにクリップするための、警察官用クリップ手段、車両所有者が違反に関するデータを認識して印刷することの出来る検索装置（１８）及び警察官が処理センタから違反車両に関するデータを入手することの出来る処理センタ（２２）を含む違反切符の記入と交付のための自動化システムに関わる。【選択図】図１
2004526253.tif 000002
【特許請求の範囲】
【請求項１】
違反切符交付及び管理のためのシステムであって、
−違反車両（１６）に対する違反切符交付を担当する警察官（１０）に、前記車両に関するデータをその内部に音声で記録するために保持させる携帯入力装置（１２）と、
−前記車両の所有者に交付するための、改ざん（１４）不能で、警察官の指示により前記入力装置を用いて前記車輛に関するデータを記録するために前記入力装置を前面に提示するのに適した非接触チップカード等の情報媒体と、
−前記情報媒体が雨で損なわれないよう、また挟んだ後容易には取り去ることが出来ないように警察官が前記情報媒体をワイパーアーム（５５）にクリップすることの出来るクリップ手段と、
−表示画面に表示された違反に関する情報を車両所有者が読み取り印刷することが出来るようにするための、表示画面と、プリンタと、前記情報媒体読取用手段とを備えた検索装置（１８）と、
−登録車両全部に関するデータを含む情報処理センタ（２２）と、
−警察官がマイクロ波無線により前記違反切符交付車輛の登録番号をいったん情報処理センターに送信してあれば、その車輛に関するデータを情報処理センターから取得することが出来るようにするために前記入力装置内に配置されたマイクロ波無線リンク送信手段（２０）と、
を含み、
−前記携帯入力装置は、警察官が車両に関する情報を音声で登録することが出来るように音声認識手段を含み、、
−前記情報媒体が、変質および偽造不能な非接触型スマートカード（１４）であり、車両に関する情報を内部に登録するため前記携帯入力装置の前に提示するのに適していること、
を特徴とするシステム。
【請求項２】
前記検索装置（１８）が同時に、関連情報が情報媒体（１４）に記録された罰金を、車両所有者が支払うことの出来る支払い装置である、請求項１に記載のシステム。
【請求項３】
前記データ取得端末機が送信した情報を、処理に先立つ所定時間の間、記録するよう設計されたフォローアップファイル（２４）をさらに含む、請求項１又は２に記載のシステム。
【請求項４】
前記入力装置（１２）が、当該車両が盗難車であるか否かを示す情報を、前記入力装置による車両登録番号の送信に対する応答中に、即座に受信できるように、前記処理センタ（２２）が車両登録ファイルに対する自動アクセス手段を有する、請求項１、２、３のいずれか１つに記載のシステム。
【請求項５】
前記入力装置（１２）が、車両運転者を撮影することの出来る小型カメラを含み、折り返し前記運転者の身元確認を入手するために、写真を処理センタ（２２）に対し送信する、先行請求項のうちいずれか一つに記載のシステム。⇒前記入力装置（１２）が、車両運転者を撮影し、折り返し前記運転者の身元確認を入手するため、写真を処理センタ（２２）に対し送信出来る小型カメラを含む、先行請求項のうちいずれか１つに記載のシステム。
【請求項６】
情報媒体（１４）のクリップ手段が、情報媒体の端で特殊切り込み（５４）により終わる溝（５２）により延伸された開口部（５０）を含み、前記開口部を貫通するまでワイパーアーム（５５）を溝に挿入することの出来る、請求項１から５のうちいずれか１つに記載のシステム。
【請求項７】
前記開口部（５０）に配置された切り込み（５６）が、壊れやすい領域を形成し、前記切り込みを始点として裂く目的で前記媒体を強く引くことにより、前記情報媒体（１４）がワイパーアーム（７０）から分離される、請求項６に記載のシステム。
【請求項８】
情報媒体（１４）の前記クリップ手段が、先端（６６）と２本のとげ（６８）とを含む矢型部（６４）と、ワイパーアーム（５５）が、前記矢型部で区切られた円形状の開口部（６０）に導入されたとき、前記矢型部を挿入することの出来る三角形Ｖ型溝（６２）とを含む、請求項１から５のいずれか１つに記載のシステム。
【請求項９】
矢型部（６４）を情報媒体の残り部分に接続するヒンジ部（７４）が、情報媒体を裂くためにそれを強く引くことにより前記情報媒体（１４）をワイパーアーム（５５）から離すことが出来る壊れ易い領域である、請求項８に記載のシステム。
．
【発明の詳細な説明】
【技術分野】
【０００１】
本発明は、公道上に違法に駐車し、又は他の交通違反を犯した車両に、警察官が交付する違反切符の体制及び支払いに関わり、詳しくはこれら違反切符の交付と管理のための自動化システムに関係する。
【背景技術】
【０００２】
現在、殆どの国で、警察官又は交通看視員による公道上での車両の違反切符交付は、日付、時刻及び駐車場所と同時に、車両登録番号、製造元など車両に関する情報の手書き記入によりおこなわれている。記入を完了すると、切符は車両のワイパーの下に置かれる。この書面を受け取ると、違反切符を交付された車両の所有者は、フランスのようにタバコ屋で罰金印紙を買い、その罰金印紙を違反切符に貼って国庫に送ることにより罰金を支払うか、又は殆どの他国の場合のように、郵便局、警察署又は税務署に赴いて直接罰金を支払う。
【０００３】
実際には、本システムには幾つかの欠点がある。具体的には、違反切符を交付する警察官に、情報全部を違反切符と切符帳簿に手書きで複写を取って記入するという退屈で時間の掛かる仕事が課せられる。これには相当な時間が掛かり、そもそも効率が良くない。その上、違反切符の管理処理は、扱いが極めて困難である。
【０００４】
別の主な欠点は、違反切符を車両のワイパーの下に置くという事実に起因する。違反切符を車両のフロントガラス上に置いた後で雨が降ると、これは湿ったり濡れたりして、取り扱いが困難になり変質して、支払作業用に使用することが出来なくなることが多い。その上、違反切符は単にワイパーの下に置かれるだけなので、時には冗談のつもりで取り去られたり、又は悪質な運転者が、その車両には既に違反切符を交付したと警察官に誤解させ警察官に切符を交付させまいとして、自分の車両のワイパーの下に置くため、持ち去ることがある。このような場合、違反切符を交付された運転者は、切符を受け取ったことが分からないので、後日請求されたとき高額な罰金を支払う羽目となり、それでなくとも数の多い異議申し立て違反切符の量を増やすことになる。
【０００５】
特許申請書ＦＲ−Ａ−２，６６５，７７９号に記述された違反切符処理システムは、キーボードアルファニューメリック・キーボード、画面及び警察官がキーボードを用いて記入した交通切符上にバーコードを印刷出来るプリンタを備えた内蔵型携帯用端末機を使用することで、上述の欠点の幾つかを解決することが出来る。あいにく、文書ＦＲ−Ａ−２，６６５，７７９号に記述されたシステムは、未だに紙又はその他の代替材料で作られた違反切符を使用しており、切符が雨で損なわれる欠点はなお存在し、又、違反切符が違反切符を交付された車両から持ち去られて別の車両に置かれる、更にはバーを追加もしくは削除しようとする違反者によりバーコードが変造され、この慎重を期する応用分野において許されざる偽造の可能性に道を開く、との欠点がなお残る。この実行は全面的なセキュリティと信頼性に基づかなければならない。
【０００６】
特許申請書ＰＣＴＦＲ９８／０２５０９号に記述されたシステムは、違反に関する情報を警察官が記録した後、違反切符交付車両のワイパーにクリップする切符媒体として、変質および偽造不能なスマートカードを使用することにより上述の欠点を埋め合わせることが出来る。この目的のため、警察官は、自分が勤務時間中に交付した違反切符全部を記録する携帯入力装置を使用する。自分の勤務時間終了後、警察官は警察署に戻り、ここで携帯入力装置を接続して、それにより記録された違反に関するデータが自動的に処理センタに送信される。残念ながら、このシステムは、警察官の勤務時間の終わりに処理センタに対し違反を送信するだけ、即ち、その違反が記録されてから数時間後になりかねないことも多い、という重要な欠点を示す。したがって、切符を交付する車両が盗難車であっても、警察官が違反切符を交付する時に知ることは出来ない。加えて、入力装置を紛失したり盗まれたりした際、記録された違反に関するデータは永久に失われる。
【０００７】
これが、本発明の目的が、警察官がリアルタイムで車両に関する情報にアクセスし、違反に関するデータが即座に違反切符処理センタに記録される、違反切符交付及び管理のためのシステムを提供することである理由である。
【発明の開示】
【発明が解決しようとする課題】
【０００８】
本発明の目的はしたがって、違反車両に対し違反切符を交付する役目の警察官に当該車両に関するデータを記録するため支給する携帯入力装置、入力装置に挿入するのに適した車両関連データを記録する変質および偽造不能な違反切符カード、カードが雨で損なわれず、挟んだ後容易に取り外すことが出来ないようカードをワイパーアームにクリップする手段、表示画面を備えた閲覧装置、車両所有者が違反に関するデータにアクセスすることの出来る違反カードのプリンタ及び読取手段、を含む違反切符交付及び管理のためのシステムである。このシステムはさらに、賃借りの車両を含む登録車両全部の情報を収容する処理センタ、及び警察官が違反切符交付車両の車両登録番号を携帯電話ネットワーク経由で処理センタに送信した後、登録違反切符交付車両に関する情報を処理センタから取得することが出来るよう配置された携帯電話ネットワークに対する接続手段を含む。
【発明を実施するための最良の形態】
【０００９】
図１に概略的に示すように、携帯電話ネットワークにアクセスするためのＧＳＳモジュールを備え、入力装置の位置を自動的に決定することの出来るＧＰＳモジュールを備えたであろう入力装置１２を警察官（又は交通看視員）１０が装備している。入力装置により、警察官は違反車両全部１６に対し違反切符カード１４を交付することが出来る。カードはクリップすることの出来るスマートカード型の電子カードで、この変質および偽造不能な切符カードが、本発明にしたがう違反切符交付及び管理のためのシステムの不可欠要素である。入力装置１２は、例えば長さ１５ｃｍ、幅１０ｃｍ、高さ２ｃｍの小型ハンドヘルド型装置の形である。これは、防水アルファニューメリック・キーボード、１６字２行の画面、電子部品が取り付けられたカード、充電式電池、日付／時刻印字機能及びカード類１４のためのスマートカードリーダ／レコーダを備えている。これにより、カード１４のそれらを補足し、記入すべき証明書に合わせて、複雑なセキュリティアルゴリズムを計算することが出来る。
【００１０】
プラスチックカード１４は、複雑なアルゴリズムの使用及び不正操作防止領域に情報を記憶することにより偽造防止になっている。これは、使い捨てであり再使用不能、特に複写から完全に防護されたスマートカードであるのが好ましい。これらの特性を備えることは、全面的に安全なデータ処理を確実にするための唯一の手段である。
【００１１】
図１に示した本発明にしたがうシステムの作動を、図２に示すフローダイアグラムを用いて示す。
【００１２】
まず勤務時間の最初に、警察官は自分の身分証明スマートカードを入力端末機の前に示して、自分の身元を確認する。次に、警察官が車両に違反切符を交付しようとするとき、キーボードを使って、単にその車両の車両登録番号を入力装置に入力する。入力装置にはＧＳＭモジュールが装備されているので、車両登録番号は携帯電話ネットワーク２０により自動的に（ＳＭＳ手順を用いて）違反切符処理センタ２２に送信される。処理センタは車両登録ファイルに接続されているので、処理センタは即座に車両登録番号に相当する車両を見つけ出す。次いで、その車両が盗難車でなければ、車両の特徴（型式、製造元など）が瞬時に返信されて、入力装置に記録される。その車両が盗難されたものであることが明らかになった場合は、違反切符交付業務は実行されず、車両の所在場所を自動的に処理センタ２２に報告する。
【００１３】
警察官が車両登録番号を入力装置に入力すると、ＧＰＳモジュールが（装置に装備されているときは）処理センタに対し入力装置の位置を暗号化して伝える。この情報は解読され、直ちに車両関連情報と同時に、スクランブルをかけないで入力装置１２に返信される。警察官が自分で位置データを入力することが出来る一方で、ＧＰＳモジュールの使用により常に正確な位置決めが可能になり、処理センタによる車両の自動記録が盗難車を自動的に記録することを可能にする。
【００１４】
最後に、入力装置は以下の情報を記録する（ステップ３０）
１．警察官が入力するデータ、即ち車両の登録番号と違反の種別、
２．入力装置が与えるデータ、即ち日付と正確な時刻（時、分）、問題になっている違反の種別に関する法律の条項又は等級
３．処理センタから受信するデータ、即ち盗難された旨の報告有無、車両の型式と製造元、及び車両のＧＰＳ位置。
【００１５】
入力装置に記録された上述の情報は、次いで警察官が入力装置１２に挿入したカード１４に記録され（ステップ３２）、処理センタ２２で記録することが出来る（ステップ３３）よう携帯電話ネットワーク２０を通じて送信される（ステップ３１）。データがカード１４に記録されると、警察官は、以下に記述するクリップ手段を用いて、それを車両のフロントガラスワイパーにクリップする（ステップ３４）。
【００１６】
処理センタ２２に記録された情報は、一定の期間（３乃至４日が好ましい）フォローアップファイル２４に自動的に記憶される。このフォローアップファイルの閲覧は、警察本部長など正当な権限を有する人物のみに許される。このようにして、警察本部長は、この記憶期間内に違反者の情状酌量をして違反をフォローアップファイルから削除することがある。
【００１７】
車両に戻ったとき車両所有者は、カード１４をフロントガラスワイパーから外して回収し、タバコ屋又は税務署に置いてある閲覧装置１８を用いて検索する（ステップ４２）。当該装置には表示画面が含まれており、違反切符カードをこの目的で用意されたカードリーダの前に示すと直ぐに、違反に関する情報全部がその上に表示され、同一情報の記載された書類が印刷される。この閲覧装置は、公道上又はガソリンスタンド、スーパーマーケット、駐車場の中など要所に設置された検索端末機であっても良いことに留意されたい。
【００１８】
閲覧装置１８はまた、違反切符カードを所持する違反者又はその他の人物が、罰金を支払うため使用することの出来る第二挿入口を有してもよい。この支払いがなされた場合（ステップ４４）、タバコ屋又は税務署にいる支払金収集責任者は、この支払いを閲覧（及び支払い）装置１８の中で処理センタに対し記録して（ステップ４６）、支払いをおこなった人に領収書を交付する。閲覧装置が支払い端末機であるときは、支払いは銀行のカードでのみおこなうことが出来ることに注意しなければならない。この場合、領収書は端末機が交付し、端末機は支払いに関する情報を自動的に処理センタ２２に送信する。
【００１９】
閲覧（及び支払い）装置１８を用いておこなった支払いは全部、処理センタに送信される。この場合、閲覧及び支払い装置のうち１つを用いておこなった支払いの度に、前記支払いが記憶期間中になされたときは、フォローアップファイル２４に納められた情報が削除される。罰金支払いの受領に加えて、処理装置２２の役割は、延滞の注意を送信し、支払い遅延に関する延滞料を課すこと、及び請求と不服申し立ての情報を取り扱うことであるのに注意しなければならない。
【００２０】
違反車両のフロントガラスからカードが容易く取り外されるのを防止するため、違反切符カードは以下に記述するクリップ手段を備えている。
【００２１】
図３Ａ及び３Ｂに示す第１の実施例―制限的なものではない―において、違反切符交付カード１４は、その下辺まで続く溝５２を有する開口部５０を含む。カードの縁にあるこの溝の外端に特殊切り込み５４が作られている。
【００２２】
カードは、特殊切り込み５４をワイパーアーム５５に対し押しつけてクリップする。切り込みは、溝５２の分離を容易にし、カードをワイパーアームの上で腕が開口部５０に完全に入るまで回転して取り付けるのを楽にする。これらカードの製造に使用する材料の種類により、ワイパーアーム５５にそれを取り付ける際にその変形特性を用いることが出来る。材料の堅さがカードをワイパーアームにクリップする効率良い手段を与える。
【００２３】
違反切符カード１４をワイパーアーム５５から取り外すには、カードを強く引っ張るだけで良い。切り込み５６が壊れ易い領域を作り、それによりカードが裂けてワイパーアームから容易に外れる。こうして、カードクリップシステムが後で再使用されるのを防止する。
【００２４】
図４Ａ及び４Ｂに示す第二の実施例においては、カード１４が、円形状の開口部円形状の開口部６０と、三角形のＶ型溝６２を備えている。円形状の開口部円形状の開口部６０を区切る硬い矢型部６４は、先端６６と２本のとげ６８から成る。ワイパーアーム７０は、ワイパーアームを先端６６とカードの切り込みのある端７２との間に挿入することにより、開口部６０に係止される。開口部６０の中に入ったら、先端６６を三角形Ｖ型溝６２に挿入する。カードは可塑性により変形することが出来るので、矢型６４を溝６２の中に挿入することが出来る。矢型６４が溝６２に完全に入ると、とげ６８が溝から外に出るのを防止する。引っ張られた際、とげ６８が溝の底で阻止されるからである。プラスチック材料の柔軟性により、これは、ヒンジの役割をする切り込み部７４の周りで変形することが出来る。
【００２５】
カード１４をアーム７０から外すには、カードを強く引くだけで良い。その特殊切り込みのため壊れやすい部分になっているヒンジ部７４が、裂けてカードをワイパーアームから解放し、カードクリップシステムが後で再使用されるのを防止する。
【００２６】
本発明によるシステムにおいて不可欠の特徴は、迅速な通信技術の使用であることに注意しなければならない。この観点から、このシステムは、ＧＰＳシステムに替わるシステムとしてＧＰＲＳ及びＵＴＭＳ、並びにＤＡＢシステムなどの新技術を用いることが可能であろう。
【００２７】
本発明の範囲を逸脱することなく入力装置に対して改良をおこなうことが可能であり、タッチスクリーン及び仮想キーボードを装備することが出来る。また入力装置には、キーボードを使用しないでデータを入力することの出来る指紋リーダ又は音声認識プログラムを装備することが出来る。さらに入力装置には、警察官による身元確認中にその対象となる人物を撮影し、その人物の身元を検証するために適したファイルへ指紋又は映像や写真を自動送信することを可能にする小型カメラ警察官を装備してもよい。
【図面の簡単な説明】
【００２８】
本発明の目的、対象及び特徴は、以下の詳細記述から添付図面を参照することでいっそう明らかになるであろう。
【図１】本発明による違反切符交付及び管理のためのシステムの要素全部を概略的に示すブロック図である。
【図２】図１に示す本発明によるシステムにおいて実行される作動をあらわすフローチャートである。
【図３】３Ａと３Ｂは、本発明によるシステムにおいて使用される電子違反切符カードの第１の実施例を示す。
【図４】４Ａと４Ｂは、本発明によるシステムにおいて使用される電子違反切符カードの第２の実施例を示す。
【図１】
2004526253.tif 000003
【図２】
2004526253.tif 000004
【国際公開パンフレット】
2004526253.tif 000005
2004526253.tif 000006
2004526253.tif 000007
2004526253.tif 000008
2004526253.tif 000009
2004526253.tif 000010
2004526253.tif 000011
2004526253.tif 000012
2004526253.tif 000013
2004526253.tif 000014
2004526253.tif 000015
2004526253.tif 000016
2004526253.tif 000017
2004526253.tif 000018
2004526253.tif 000019
2004526253.tif 000020
2004526253.tif 000021
2004526253.tif 000022
2004526253.tif 000023
【国際公開パンフレット（コレクトバージョン）】
2004526253.tif 000024
2004526253.tif 000025
【国際調査報告】
2004526253.tif 000026
2004526253.tif 000027
2004526253.tif 000028
2004526253.tif 000029
2004526253.tif 000030
2004526253.tif 000031